(57)【要約】【課題】患者が一人で簡単に脱着が行うことができ、長時間にわたって使用することができる手関節固定具を提供する。【解決手段】母指を手甲側に向かって牽引する牽引ベルト２の一端に手掌に沿って巻回される手掌ベルト３を設け、手掌ベルトの他端からさらに、手首に沿って巻回される手首ベルト４を設けて、１本のベルト状に形成し、手掌と手首を同時に巻回して固定する。【選択図】図１
2010029501.tif 000002
【特許請求の範囲】
【請求項１】
手の関節を固定する手関節固定具において、
母指に引っ掛けた状態で手甲に沿って配置され、上記母指を手甲側に向かって牽引する牽引ベルトと、上記牽引ベルトの一端に延設され、手掌から手甲にかけて巻回される手掌ベルトと、上記手掌ベルトの他端から延設され、手首に沿って巻回される手首ベルトとを有することを特徴とする手関節固定具。
【請求項２】
上記牽引ベルト、上記手掌ベルトおよび上記手首ベルトが１本の帯状に形成されていることを特徴とする請求項１に記載の手関節固定具。
【請求項３】
上記手掌ベルトの軸線と上記手首ベルトの軸線とが所定角度で交差するように形成されていることを特徴とする請求項１または２に記載の手関節固定具。
【請求項４】
上記牽引ベルトは、１本の伸縮ベルトをＵ字状に折り返し、その両端を上記手掌ベルトの一端に固定してなることを特徴とする請求項１，２または３に記載の手関節固定具。
【請求項５】
上記手掌ベルトの一部には、母指を挿通するための母指挿通孔が設けられていることを特徴とする請求項１ないし４のいずれか１項に記載の手関節固定具。
【請求項６】
上記手掌ベルトは、手の掌側を覆う第１手掌ベルトメンバーと、手の甲側を覆う第２手掌ベルトメンバーとを含み、上記第１手掌メンバーは、上記牽引ベルトの接続端から上記第２手掌ベルトメンバーにむかってその幅が漸次大きくなるように形成されていることを特徴とする請求項１ないし５のいずれか１項に記載の手関節固定具。
【請求項７】
上記第２手掌ベルトメンバーは、その幅が始端から終端までほぼ同幅であることを特徴とする請求項１ないし６のいずれか１項に記載の手関節固定具。
【請求項８】
上記母指挿通孔は、上記第１手掌メンバーと上記第２手掌メンバーの境界部付近に設けられていることを特徴とする請求項６または７に記載の手関節固定具。
【請求項９】
上記手掌ベルトは、掌から手甲にかけて巻回した状態で固定するための第１固定手段を備えていることを特徴とする請求項１ないし８のいずれか１項に記載の手関節固定具。
【請求項１０】
上記手首ベルトは、手首に巻回した状態で固定するための第２固定手段を備えていることを特徴とする請求項１ないし９のいずれか１項に記載の手関節固定具。
【発明の詳細な説明】
【技術分野】
【０００１】
本発明は、骨折や腱鞘炎などの際に、手および手関節を正常な状態で固定するための手関節固定具に関し、さらに詳しく言えば、患者が一人で簡単に脱着が行うことができ、長時間にわたって使用することができる手関節固定具に関する。
【背景技術】
【０００２】
手関節骨折や捻挫などの疾病治療には、手関節を固定するための固定具が用いられる。例えば特許文献１に示すように、この固定具は、掌から甲にかけてベルト状のブレースを巻回したのち、さらに手首にリストバンドを巻き付けることにより、母指関節と手首関節とを同時に圧迫固定して、掌から手首にかけての複雑な関節の動きを拘束することができる。
【０００３】
【特許文献１】特開平３−２４４４５２号公報
【発明の開示】
【発明が解決しようとする課題】
【０００４】
しかしながら、従来の固定具には、次のような問題があった。すなわち、特許文献１に記載の固定具は、各部材がそれぞれ独立して設けられているため、母指、手掌、手首と順々に装着していかなければならないため、例えば子供や高齢者などに装着するには、患者が一人で装着することは難しく、介助を必要とする場合がある。
【０００５】
また、各パーツをそれぞれ複雑に縫い合わせているため、複雑な構成であるばかりでなく、縫製工程が多く、材料コストなども高くなる。
【課題を解決するための手段】
【０００６】
そこで、本発明は上述した課題を解決するためになされたものであって、その目的は、患者が一人で簡単に脱着が行うことができ、長時間にわたって使用することができる手関節固定具を提供することにある。
【０００７】
上述した目的を達成するため、本発明は以下に示すいくつかの特徴を備えている。請求項１に記載の発明は、手の関節を固定する手関節固定具において、母指に引っ掛けた状態で手甲に沿って配置され、上記母指を手甲側に向かって牽引する牽引ベルトと、上記牽引ベルトの一端に延設され、手掌から手甲にかけて巻回される手掌ベルトと、上記手掌ベルトの他端から延設され、手首に沿って巻回される手首ベルトとを有することを特徴としている。
【０００８】
請求項２に記載の発明は、上記請求項１において、上記牽引ベルト、上記手掌ベルトおよび上記手首ベルトが１本の帯状に形成されていることを特徴としている。
【０００９】
請求項３に記載の発明は、上記請求項１または２において、上記手掌ベルトの軸線と上記手首ベルトの軸線とが所定角度で交差するように形成されていることを特徴としている。
【００１０】
請求項４に記載の発明は、上記請求項１，２または３において、上記牽引ベルトは、１本の伸縮ベルトをＵ字状に折り返し、その両端を上記手掌ベルトの一端に固定してなることを特徴としている。
【００１１】
請求項５に記載の発明は、上記請求項１ないし４のいずれか１項において、上記手掌ベルトの一部には、母指を挿通するための母指挿通孔が設けられていることを特徴としている。  
【００１２】
請求項６に記載の発明は、上意請求項１ないし５のいずれか１項において、上記手掌ベルトは、手の掌側を覆う第１手掌ベルトメンバーと、手の甲側を覆う第２手掌ベルトメンバーとを含み、上記第１手掌メンバーは、上記牽引ベルトの接続端から上記第２手掌ベルトメンバーに向かってその幅が漸次大きくなるように形成されていることを特徴としている。
【００１３】
請求項７に記載の発明は、上記請求項１ないし６のいずれか１項において、上記第２手掌ベルトメンバーは、その幅が始端から終端までほぼ同幅であることを特徴としている。
【００１４】
請求項８に記載の発明は、請求項６または７において、上記母指挿通孔は、上記第１手掌メンバーと上記第２手掌メンバーの境界部付近に設けられていることを特徴としている。
【００１５】
請求項９に記載の発明は、上記請求項１ないし８のいずれか１項において、上記手掌ベルトは、掌から手甲にかけて巻回した状態で固定するための第１固定手段を備えていることを特徴としている。
【００１６】
請求項１０に記載の発明は、上記請求項１ないし９のいずれか１項において、上記手首ベルトは、手首に巻回した状態で固定するための第２固定手段を備えていることを特徴としている。
【発明の効果】
【００１７】
請求項１に記載の発明によれば、母指を手甲側に向かって牽引する牽引ベルトと、牽引ベルトの一端に延設され、手掌から手甲にかけて巻回される手掌ベルトと、手掌ベルトの他端から延設され、手首に沿って巻回される手首ベルトとを備えていることで、手の関節の位置をニュートラルな位置で長時間保持することができる。
【００１８】
請求項２に記載の発明によれば、牽引ベルト、手掌ベルトおよび手首ベルトが１本の帯状に形成されていることにより、牽引ベルト側から順番に巻き付けていくだけでよいため、患者一人でも簡単に装着することができる。
【００１９】
請求項３に記載の発明によれば、手掌ベルトの軸線と手首ベルトの軸線とが所定角度で交差するように形成されていることにより、手掌部と手首の各軸線に沿ってベルトを確実に巻回することができる。
【００２０】
請求項４に記載の発明によれば、牽引ベルトは、１本の伸縮ベルトをＵ字状に折り返し、その両端を上記手掌ベルトの一端に固定することにより、牽引ベルトのループに母指を挿入するだけで簡単に母指を牽引することができる。
【００２１】
請求項５に記載の発明によれば、手掌ベルトの一部に母指を挿通するための母指挿通孔を設けたことにより、手掌ベルトの巻回する際に母指を母指挿通孔に挿通させることにより、母指関節が外側から不当に圧迫されることを防止することができる。
【００２２】
請求項６に記載の発明によれば、手掌ベルトは、手の掌側を覆う第１手掌ベルトメンバーと、手の甲側を覆う第２手掌メンバーとを含み、第１手掌メンバーが牽引ベルトの接続端から中央にむかってその幅が漸次大きくなるように形成されていることにより、掌側のベルトが若干細くなるため、指の動きは拘束せず、手と手首の動きを確実に拘束できる。
【００２３】
請求項７に記載の発明によれば、第２手掌ベルトメンバーは、その幅が始端から終端までほぼ同幅であることにより、手の甲側を確実に拘束することにより、手および指が反り返ることを防止し、ニュートラルな位置に各部位を保持することができる。
【００２４】
請求項８に記載の発明によれば、母指挿通孔は、上記第１手掌メンバーと上記第２手掌メンバーの境界部付近に設けられていることにより、第１手掌メンバーを掌側、第２手掌メンバーを甲側に確実に配置することができ、誤使用を防止することができる。
【００２５】
請求項９および１０に記載の発明によれば、手掌ベルトまたは手首ベルトにベルト同士を巻回した状態で固定するための固定手段を設けたことにより、手掌、手首にかかる固定力を患者の好みに調節でき、長時間にわたって使用することができる。
【発明を実施するための最良の形態】
【００２６】
図１は、本発明の一実施形態に係る手関節固定具の正面図であり、図２はその背面図である。図３は、図２のＡ−Ａ線断面図であり、図４（ａ）〜（ｄ）は、この手関節固定具の使用手順を示す模式図である。
【００２７】
図１および図２を参照して、この手関節固定具１は、母指Ｆに取り付けられる牽引ベルト２と、手Ｈの掌から甲にかけて巻回される手掌ベルト３と、手首Ｌ（ともに図４参照）に沿って巻回される手首ベルト４とを備え、それらが１本の帯状に形成されている。この例において、手関節固定具１は右手用を例にとって説明するが、左手用は形状を左右対称にすればよい。
【００２８】
牽引ベルト２は、１本の伸縮性を有する帯状体からなり、そのほぼ中央が１８０°折り返され、母指Ｆの付け根に引っ掛けられるループ２１が形成されている。牽引ベルト２の自由端２２，２２は、後述する手掌ベルト３の一端に一体的に縫着されている。
【００２９】
この例において、牽引ベルト２は、先端から終端までに至るまでの長さが約１３０ｍｍであり、内部にゴム紐が編み込まれた伸縮性を有する帯状紐から構成されている。牽引ベルト２は、伸縮性でも非伸縮性のいずれであってもよいが、母指Ｆを手の甲側に牽引するため、若干伸縮性があるほうが好ましい。
【００３０】
手掌ベルト３は、手Ｈの掌から甲にかけて巻回される帯状体からなり、この例では伸縮性を有する弾性ベルトが用いられている。手掌ベルト３は、掌Ｈ１（図４参照）側に配置される第１手掌ベルトメンバー３１と、甲側に配置される第２手掌ベルトメンバー３２とを有し、それらが軸線Ｌ１に沿って同軸的に１本のベルト状に形成されている。
【００３１】
第１手掌ベルトメンバー３１は、先端（牽引ベルト２側）から第２手掌ベルトメンバー３２に向かうにつれて、その幅長さが漸次大きくなるように形成されている。これによれば、掌Ｈ１に沿って配置される第１手掌ベルトメンバー３１のベルト幅が異なることにより、指関節の動きを拘束せず、指を無理なく動かすことができる。
【００３２】
第１手掌ベルトメンバー３１の表面（図１では紙面手前側、図３では右側面側）には、手掌ベルト３を巻回した状態で固定するための第１固定手段としての第１ループ面ファスナ３３がほぼ全面に渡って設けられている。
【００３３】
第２手掌ベルトメンバー３２は、上記第１手掌ベルトメンバー３１と同様の伸縮性を有する帯状体からなり、一端（第１手掌ベルトメンバー３１側）から他端（手首ベルト４側）にかけてほぼ同じ幅長さに形成されている。
【００３４】
これによれば、手の甲側を保持する第２手掌ベルトメンバー３２の幅が同じであることにより、手と手の指の関節とが第２手掌ベルトメンバー３２によって保持されるため、手と指が逆側に反り返るのを防止することができる。
【００３５】
この例において、第１手掌ベルトメンバー３１の軸方向の長さは１００ｍｍであり、第２手掌ベルトメンバー３２の軸方向の長さは、１６０ｍｍであり、その幅は約７０ｍｍである。
【００３６】
第１手掌ベルトメンバー３１と第２手掌ベルトメンバー３２との間には、手掌ベルト３を巻回した際に、母指Ｆを外に引き出すための母指挿通孔３４が設けられている。母指挿通孔３４は、手掌ベルト３の幅方向に沿って長軸が配置された楕円状に形成されており、この母指挿通孔３４に沿って母指Ｆを引き出すことにより、手掌ベルト３を手に完全に巻くことができるようになっている。
【００３７】
手掌ベルト３の他端には、手首ベルト４が連接されている。手首ベルト４は、上述した手掌ベルト３と同一素材の伸縮性ベルトからなり、第２手掌ベルトメンバー３２とほぼ同じ幅である。
【００３８】
手首ベルト４は、手掌ベルト３の軸線Ｌ１に対してその軸線Ｌ２が所定角度傾斜した状態で配置されている。この例において、手首ベルト４は、軸線方向の長さが２１０ｍｍであり、幅は７０ｍｍである。また、その軸線Ｌ２と手掌ベルトの軸線Ｌ１との開き角θは、約１６０°であるが、開き角θは仕様に応じて任意に設定されてよい。
【００３９】
図２に示すように、手掌ベルト３と手首ベルト４の連結部周辺の裏面側（図３では左側面側）には、上述した手掌ベルト３の第１ループ面ファスナ３３に係着される第１フック面ファスナ３５が設けられている。
【００４０】
図１に示すように、手掌ベルト３と手首ベルト４の連結部周辺の表側（図３では右側面側）には、手首ベルト４を手首に巻回した状態で固定するための第２固定手段としての第２ループ面ファスナ４１がほぼ全面にわたって設けられている。
【００４１】
手首ベルト４の裏面（図２）の先端には、上述した第２ループ面ファスナ４１に係着される第２フック面ファスナ４２が設けられている。
【００４２】
次に、図４を参照しながら、この手関節固定具１の使用手順の一例について説明する。まず、図４（ａ）に示すように、広げた患者の手Ｈの母指Ｆに牽引ベルト２のループ２１を挿通して引っ掛けたのち、牽引ベルト２を手の甲Ｈ２側に引き回す。
【００４３】
牽引ベルト２が母指Ｆを手の甲Ｈ２側に牽引することにより、母指Ｆが掌Ｈ１側に折り曲がる（掌屈する）ことが防止される。次に、図４（ｂ）に示すように、手の甲Ｈ１と掌Ｈ１の小指側の境界に手掌ベルト３の第１手掌ベルトメンバー３１の先端を配置し、第１手掌ベルトメンバー３１を掌Ｈ１側の第２指と第５指との手掌関節を結ぶ線と、軸線Ｌ１とが平行となるように巻き付けてゆく。
【００４４】
次に、第１手掌ベルトメンバー３１と第２手掌ベルトメンバー３２との間に設けられた母指挿通孔３４に母指Ｆを挿通する。母指Ｆを挿通したのち、第２手掌ベルトメンバー３２を手の甲Ｈ２側に巻き付け、掌Ｈ１側に配置された第１ループ面ファスナ３３に第１フック面ファスナ３５を係着することで、手掌に沿って手掌ベルト３が巻回した状態で固定される。
【００４５】
次に、図４（ｃ）に示すように、手掌ベルト３の一端から手首Ｌ方向に向かって斜めに延びた手首ベルト４を手首Ｌに沿って巻き付けたのち、図４（ｄ）に示すように、第２ループ面ファスナ４１に第２フック面ファスナ４２を係着させる。これにより、手掌ベルト３の一部に手首ベルト４が重なるように巻き付けられる。
【００４６】
以上、一連の作業によって手Ｈに手関節固定具１が装着される。これによれば、牽引ベルト２によって、母指Ｆに対して過度な背屈をせずに巻き付けることができる。また、手関節および母指関節（母指ＭＰ関節）をニュートラルな位置で肢位固定できる。さらには、手関節と手首を重ねて固定することにより、手関節の掌屈および背屈を制限することができる。さらに、全ての取付作業および取外作業を患者自ら行うことができる。
【００４７】
本発明の手関節固定具１は、橈骨遠位骨折、舟状骨骨折、中手骨骨折、手根幹症候群、狭窄性腱鞘炎（ドゥケルバン腱鞘炎）などの各種腱鞘炎などの疾病治療用や、ギプス固定除去後の固定用など、手関節を固定するためであれば、種々の用途に用いることができる。
【図面の簡単な説明】
【００４８】
【図１】本発明の一実施形態に係る手関節固定具の正面図。
【図２】上記手関節固定具の背面図。
【図３】図２のＡ−Ａ線断面図。
【図４】（ａ）〜（ｄ）手関節固定具の取付手順を説明する説明図。
【符号の説明】
【００４９】
１  手関節固定具
２  牽引ベルト
３  手掌ベルト
３１  第１手掌ベルトメンバー
３２  第２手掌ベルトメンバー
３３  第１ループ面ファスナ（第１固定手段）
３４  母指挿通孔
３５  第１フック面ファスナ（第１固定手段）
４  手首ベルト
４１  第２ループ面ファスナ（第２固定手段）
４２  第２フック面ファスナ（第２固定手段）
【図１】
2010029501.tif 000003
【図２】
2010029501.tif 000004
【図３】
2010029501.tif 000005
【図４】
2010029501.tif 000006